(57)【要約】【課題】モジュール側電源をオフしてもセット側におけるアナログ受信制御用ラインへの影響がなく、モジュール電源をオフしてセット側をスタンバイモードにでき省電力化を図ること。【解決手段】テレビジョンチューナモジュール１は、テレビジョン信号受信用回路２と、デジタル復調ＩＣ３と、ＭＰＥＧデコーダとして機能すると共にデジタル受信制御機能を有するバックエンドＩＣ４とを備える。テレビジョン信号受信用回路２とデジタル復調ＩＣ３との間にはデジタル受信制御ラインとアナログ受信制御ラインとを切替えるバススイッチ５が設けられ、セット側マイコン２１をアナログ受信制御用バス１０経由でバススイッチ５に接続する。アナログ受信制御用バス１０にＮチャンネルエンハンスメントＭＯＳＦＥＴ１１を設け、モジュール側電源オフ時にはセット側から見て開放状態となるようにした。【選択図】図１
2008271290.tif 000002
【特許請求の範囲】
【請求項１】
テレビジョン信号を受信するためのテレビジョン信号受信用回路と、
前記テレビジョン信号受信用回路の受信状態を制御する制御回路と、
前記制御回路から前記テレビジョン信号受信用回路に受信制御信号を伝送するための第１の制御ラインと、
テレビジョンセット又はセットトップボックスから前記テレビジョン信号受信用回路へ他の受信制御信号を伝送するための第２の制御ラインと、
前記第２の制御ライン上に設けられ、テレビジョンチューナモジュール側電源をオンしたときには導通状態となり、テレビジョンチューナモジュール側電源をオフしたときには前記テレビジョンセット又はセットトップボックスから見て開放状態となるスイッチ手段と、を具備したことを特徴とするテレビジョンチューナモジュール。
【請求項２】
前記スイッチ手段は、ＮチャンネルＭＯＳＦＥＴで構成されており、当該ＮチャンネルＭＯＳＦＥＴは、ソースが前記第２の制御ラインのモジュール側に接続され、ドレインが前記第２の制御ラインのテレビジョンセット又はセットトップボックス側に接続され、ゲートが前記テレビジョンチューナモジュール側電源に接続されたことを特徴とする請求項１記載のテレビジョンチューナモジュール。
【請求項３】
前記テレビジョン信号受信用回路は、アナログ及びデジタル混合の信号を受信可能であることを特徴とする請求項１又は請求項２記載のテレビジョンチューナモジュール。
【発明の詳細な説明】
【技術分野】
【０００１】
本発明は、アナログ・デジタル混合の信号を受信可能なテレビジョンチューナモジュールに関する。
【背景技術】
【０００２】
アナログ・デジタル混合の信号を受信可能なテレビジョンチューナモジュールにおいて、アナログ信号受信時にデジタル回路から発生するノイズの影響を避けるために、ＴＶセット又はセットトップボックス等のコントロールブロックからの制御信号ラインを、デジタル信号受信時とは別系統にすることが提案されている（例えば、特許文献１参照）。
【０００３】
図２は特許文献１記載のアナログ・デジタル両用の放送受信機におけるフロントエンド部のブロック図である。受信端子１０１はアナログ変調波とデジタル変調波とが混在する放送信号を受信し、帯域通過フィルター１０２から出力された信号を高周波増幅器１０３で増幅する。帯域通過フィルター１０４を通過した信号をミキサー１０５へ入力して局部発振回路１０６からの信号と掛け合わせて第１中間周波へ変換する。局部発振回路１０６の発振周波数はＰＬＬ回路１０７により制御される。帯域通過フィルター１０８を通過した信号を中間周波増幅器１０９で増幅してミキサー１１０へ入力し、局部発振回路１１１からの信号を用いて中間周波増幅器１０９からの出力信号を第２中間周波に変換する。さらに、低域通過フィルター１１２を通過した信号を復調回路１１３に入力する。復調回路１１３は、水晶発振器１１４で生成されるクロック信号によって動作し、制御端子１１８から復調回路用制御ラインを経て入力される制御信号に基づいてデジタル変調信号を復調して出力端子１１７から復調データとして出力する。
【０００４】
アナログ放送受信時には、外部端子１２０からアナログ変調波受信用の選択信号を入力し、制御ライン選択回路１２１の一方のスイッチ回路で制御端子１１８と復調回路１１３とを切り離し、他方のスイッチ回路で制御端子１１８とＰＬＬ回路１０７とを接続する。また、中間周波用電源制御回路１２２は中間周波増幅器１０９およびミキサー１１０で構成される回路を電源ラインＶＤＤから切り離し、復調回路電源制御回路１２３は復調回路１１３を電源ラインＶＤＤから切り離す。さらに、利得制御ライン選択回路１１５は外部端子１１９と、高周波増幅器１０３および中間周波増幅器１０９とを接続する。
【０００５】
以上の切替えにより、アナログ・デジタル混在信号が受信可能な場合に、アナログ放送受信時におけるクロック信号などに起因する妨害波を低減することができる。
【０００６】
図３は、アナログ放送受信時にＴＶセット又はセットトップボックス等のコントロールブロックに設けたマイコンからアナログ受信制御用信号ライン（Ｉ２Ｃバス）を介してアナログ受信を制御する場合の構成例を示している。
【０００７】
テレビジョンチューナモジュール１５０は、フロントエンド部１５１がバススイッチ１５２を介してデジタル復調ＩＣ１５３が接続され、さらにＭＰＥＧデコーダ及びＣＰＵ等で構成されるバックエンドＩＣ１５４が接続されている。フロントエンド部１５１、バススイッチ１５２、デジタル復調ＩＣ１５３、バックエンドＩＣ１５４の間は、デジタル／アナログ受信制御用バス１５５、デジタル受信制御用バス１５６、デジタル受信／復調制御用バス１５７でそれぞれ接続されている。各制御用バスは、例えばＩ２Ｃバスが用いられる。
【０００８】
一方、ＴＶセット又はセットトップボックス等のコントロールブロック１６０は、コントロールブロック側の動作制御を行うと共に、フロントエンド部１５１に対してアナログ受信制御のための制御信号を送出するマイコン１６１を備える。マイコン１６１は、アナログ受信制御用バス１６２を介してバススイッチ１５２に接続される。バススイッチ１５２は、デジタル受信時はデジタル受信制御用バス１５６に切替え、アナログ受信時はアナログ受信制御用バス１６２に切替える。
【０００９】
以上の構成において、デジタル受信時はバススイッチ１５２によりデジタル受信制御用バス１５６に切替えられ、バックエンドＩＣ１５４からデジタル受信制御用の制御信号がフロントエンド部１５１に対して与えられる。またアナログ受信時はバススイッチ１５２によりアナログ受信制御用バス１６２に切替えられ、マイコン１６１からアナログ受信制御用の制御信号がフロントエンド部１５１に対して与えられる。
【００１０】
ところで、図３に示すようにアナログ受信制御用バス１６２は、コントロールブロック１６０内においてはセット側電源ＳＥＴ−Ｖｃｃでプルアップ（例えば、５Ｖ）され、テレビジョンチューナモジュール１５０内においてはモジュール側電源Ｖｃｃでプルアップ（例えば、５Ｖ）されている。また、アナログ受信制御用バス１６２は、コントロールブロック１６０においては他の制御対象デバイス（例えば、ＡＶスイッチＩＣ１６３、ＥＥＰＲＯＭ１６４）をマイコン１６１から制御するための制御ラインとしても使用することができる。
【特許文献１】特開２０００−２２４０６１号公報
【発明の開示】
【発明が解決しようとする課題】
【００１１】
しかしながら、上記従来のテレビジョンチューナモジュールは、モジュール側電源をオフしてセット側（コントロールブロック側）をマイコンだけ待受け状態にした低消費電力のセットスタンバイ状態にすることが難しいという問題があった。上記した通り、アナログ受信制御用バス１６２はセット側電源ＳＥＴ−Ｖｃｃ及びモジュール側電源Ｖｃｃでプルアップしているが、モジュール側電源Ｖｃｃのみオフした場合には、モジュール側で電流を引き込み電圧がドロップするため、セット側においてもアナログ受信制御用バス１６２を経由したマイコン１６１とＡＶスイッチＩＣ１６３、ＥＥＰＲＯＭ１６４等との通信が不能になる。したがって、セット側においてアナログ受信制御用バス１６２を経由したマイコン１６１と他のデバイスとの通信を確保するためには、モジュール側電源Ｖｃｃを常時オンしなければならず、低消費電力化することが難しかった。
【００１２】
本発明は、かかる点に鑑みてなされたものであり、モジュール側電源をオフしてもセット側においてアナログ受信制御用ラインに接続されているマイコンとデバイスとの間の通信を維持することができ、モジュール電源をオフしてセット側をスタンバイモードにでき省電力化が可能なテレビジョンチューナモジュールを提供することを目的とする。
【課題を解決するための手段】
【００１３】
本発明のテレビジョンチューナモジュールは、テレビジョン信号を受信するためのテレビジョン信号受信用回路と、前記テレビジョン信号受信用回路の受信状態を制御する制御回路と、前記制御回路から前記テレビジョン信号受信用回路に受信制御信号を伝送するための第１の制御ラインと、テレビジョンセット又はセットトップボックスから前記テレビジョン信号受信用回路へ他の受信制御信号を伝送するための第２の制御ラインと、前記第２の制御ライン上に設けられ、テレビジョンチューナモジュール側電源をオンしたときには導通状態となり、テレビジョンチューナモジュール側電源をオフしたときには前記テレビジョンセット又はセットトップボックスから見て開放状態となるスイッチ手段とを具備したことを特徴とする。
【００１４】
この構成によれば、テレビジョンセット又はセットトップボックスから前記テレビジョン信号受信用回路へ受信制御信号を伝送するための第２の制御ラインに、テレビジョンチューナモジュール側電源をオフしたときには前記テレビジョンセット又はセットトップボックスから見て開放状態となるスイッチ手段を設けたので、テレビジョンチューナモジュール側電源をオフした場合にテレビジョンセット又はセットトップボックス側の第２の制御ラインへの影響がなくなり、セット側において第２の制御ラインを用いた通信が可能になる。
【００１５】
また本発明は、上記テレビジョンチューナモジュールにおいて、前記スイッチ手段は、ＮチャンネルＭＯＳＦＥＴで構成されており、当該ＮチャンネルＭＯＳＦＥＴは、ソースが前記第２の制御ラインのモジュール側に接続され、ドレインが前記第２の制御ラインのテレビジョンセット又はセットトップボックス側に接続され、ゲートが前記テレビジョンチューナモジュール側電源に接続されたことを特徴とする。
【００１６】
この構成により、テレビジョンチューナモジュール側電源をオフした場合にＮチャンネルＭＯＳＦＥＴがオフし、テレビジョンセット又はセットトップボックスから見て開放状態となる。
【００１７】
また本発明は、上記テレビジョンチューナモジュールにおいて、前記テレビジョン信号受信用回路は、アナログ及びデジタル混合の信号を受信可能であることを特徴とする。例えば、第１の制御ラインを介して第１の制御回路からテレビジョン信号受信用回路へデジタル受信制御用の受信制御信号を与え、第２の制御ラインを介してテレビジョンセット又はセットトップボックスからテレビジョン信号受信用回路へアナログ受信制御用の受信制御信号を与えることができる。
【発明の効果】
【００１８】
本発明によれば、モジュール側電源をオフしてもセット側でのアナログ受信制御用ラインへの影響を排除でき、マイコンとデバイスとの間の通信を維持することができ、モジュール電源をオフしてセット側をスタンバイモードにでき省電力化が可能である。
【発明を実施するための最良の形態】
【００１９】
以下、本発明の実施の形態について添付図面を参照して詳細に説明する。
図１は本発明の一実施の形態に係るテレビジョンチューナモジュールの概略的な構成図であり、ＴＶセット又はセットトップボックス等のコントロールブロックからアナログ受信を制御する構成を示している。
【００２０】
テレビジョンチューナモジュール１は、アナログ・デジタル混合の信号を受信可能なテレビジョン信号受信用回路２と、テレビジョン信号受信用回路２から出力される変調信号をデジタル復調するデジタル復調ＩＣ３と、ＭＰＥＧデコーダとして機能すると共にデジタル受信制御機能を有する制御回路としてのバックエンドＩＣ４とを備える。テレビジョン信号受信用回路２とデジタル復調ＩＣ３との間にはデジタル受信制御ラインとアナログ受信制御ラインとを切替えるバススイッチ５が設けられている。
【００２１】
テレビジョン信号受信用回路２とバススイッチ５との間はデジタル／アナログ受信制御用バス６、バススイッチ５とデジタル復調ＩＣ３との間はデジタル受信制御用バス７、デジタル復調ＩＣ３とバックエンドＩＣ４との間はデジタル受信／復調制御用バス８を介してそれぞれ接続されている。これら各バス６，７，８は、本例では抵抗でプルアップされた２本の双方向のオープン・コレクタ信号線からなり、一方の信号線がシリアルデータ、他方の信号線がシリアルクロックに用いられるＩ２Ｃバスで構成されている。
【００２２】
上記バススイッチ５は、バックエンドＩＣ側から第１の制御ラインとなるデジタル受信制御用バス７が接続される一方、コントロールブロック２０側（セット側）から第２の制御ラインとなるアナログ受信制御用バス１０が接続されている。本実施の形態では、アナログ受信制御用バス１０に設けたＮチャンネルエンハンスメントＭＯＳＦＥＴ１１によりテレビジョンチューナモジュール１とコントロールブロック２０とを切り離し可能に構成している。ＮチャンネルエンハンスメントＭＯＳＦＥＴ１１は、ソース端子がモジュール側バス１０に接続され、ドレイン端子がセット側バス１０に接続され、ゲート端子がモジュール電源Ｖｃｃに接続されている。モジュール電源Ｖｃｃがオンしていればモジュール側とセット側とが導通し、モジュール電源Ｖｃｃがオフすればモジュール側とセット側とが非導通となり切り離される。なお、アナログ受信制御用バス１０は、モジュール側においては抵抗１２にてプルアップしており、セット側においては抵抗１３にてプルアップしている。
【００２３】
コントロールブロック２０は、セット側のデバイスをバス経由で制御するマイコン２１を備える。マイコン２１に接続されるバスの一つがアナログ受信制御用バス１０として用いられている。そのため、セット側デバイスとの間ではアナログ受信制御以外の通信に用いられるが、説明の都合上、アナログ受信制御用バス１０と呼んでいる。図１に示す例では、アナログ受信制御用バス１０にＡＶスイッチＩＣ２２、ＥＥＰＲＯＭ２３が接続されていて、マイコン２１と通信が可能になっている。マイコン２１は、セット側の他のデバイスであるＬＣＤパネル２４、ＡＶ用増幅器２５、電源２６と図示していないバス等を介して接続されている。
【００２４】
次に、以上のように構成された本実施の形態の動作について説明する。
テレビジョンチューナモジュール１は、動作時には電源部９からモジュール１内の各デバイスにモジュール電源Ｖｃｃが供給されている。電源部９のオン／オフはセット側からマイコン２１が制御する。電源部９がオンすると、モジュール電源ＶｃｃがＮチャンネルエンハンスメントＭＯＳＦＥＴ１１のゲート端子に印加された状態となる。エンハンスメント型ＭＯＳＦＥＴの場合、ゲート電圧が印加されるとチャンネルが生成されて導通するので、モジュール電源がオン状態においてモジュール１側とセット２０側とがアナログ受信制御用バス１０を介して通信可能な状態となる。
【００２５】
デジタル受信の場合、バススイッチ５がテレビジョン信号受信用回路２にデジタル受信制御用ライン（６，７，８）を接続し、バックエンドＩＣ４がデジタル受信制御用ライン（８，７，６）を用いてデジタル復調ＩＣ３経由でテレビジョン信号受信用回路２の制御対象回路を制御する。例えば、テレビジョン信号受信用回路２が、図２に示すフロントエンド１３１の回路構成の場合、バックエンドＩＣ４が第１の受信制御信号にてデジタル復調ＩＣ３に相当する復調回路１１３経由で高周波増幅器１０３及び中間周波増幅器１０９の利得を制御すると共にＰＬＬ回路１０７の位相を制御する。
【００２６】
一方、アナログ受信の場合、バススイッチ５がテレビジョン信号受信用回路２にアナログ受信制御用ライン１０を接続し、セット側のマイコン２１がアナログ受信制御用バス１０を用いてテレビジョン信号受信用回路２の制御対象回路を制御する。例えば、テレビジョン信号受信用回路２が、図２に示すフロントエンド１３１の回路構成の場合、マイコン２１が第２の受信制御信号にて高周波増幅器１０３及び中間周波増幅器１０９の利得を制御すると共にＰＬＬ回路１０７の位相を制御する。
【００２７】
これにより、アナログ受信時にアナログ受信制御信号の伝送に用いるアナログ受信制御用バス（１０）を、デジタル受信時にデジタル受信制御信号の伝送に用いるデジタル受信制御用ライン（６，７，８）と別系統にしたので、デジタル復調ＩＣ３のクロック信号等がアナログ受信制御用ラインにノイズとして重畳する等の不具合を防止できる。
【００２８】
また、モジュール電源をオフする場合は、セット側のマイコン２１からモジュール側の電源部９をオフ制御する。電源部９をオフ制御した結果、電源部９からモジュール内の各部に供給されていたモジュール電源Ｖｃｃがオフする。モジュール電源Ｖｃｃがオフすると、モジュール側とセット側とを導通させていたアナログ受信制御用バス１０のＮチャンネルエンハンスメントＭＯＳＦＥＴ１１のゲート端子に印加されるゲート電圧が０Ｖとなる。ＮチャンネルエンハンスメントＭＯＳＦＥＴ１１は、上記した通りゲート電圧が印加されなくなるとチャネルが形成されなくなり、ソース−ドレイン間がオープン状態となる。
【００２９】
ＮチャンネルエンハンスメントＭＯＳＦＥＴ１１がオフすることで、セット側からモジュール側を見ると開放状態（ハイインピーダンス）となるので、従来のようにモジュール側で電流を引き込み電圧がドロップするといった現象は生じなくなる。したがって、モジュール電源をオフした状態においても、セット側ではアナログ受信制御用バス１０の電圧は維持されたままとなり、当該アナログ受信制御用バス１０に接続されているマイコン２１と他のデバイス（２２，２３）間で通信が可能となる。この結果、モジュール側の電源をオフして、セット側をスタンバイ状態に設定することができ、省電力化を図ることができる。
【００３０】
なお、本発明は上記一実施の形態に限定されるものではなく、本発明の要旨を逸脱しない範囲で変形実施可能である。例えば、アナログ受信制御用バス１０に設けられモジュール側とセット側とを接離するスイッチ手段は、オフ状態ではセット側からモジュール側を見るとハイインピーダンスとなるものであればＮチャンネルエンハンスメントＭＯＳＦＥＴ１１以外のスイッチを用いても良い。また、上記実施の形態ではアナログ・デジタル混合の信号を受信可能なテレビジョンチューナモジュールについて説明したが、モジュール側の制御回路とセット側の制御回路とで別系統で受信制御する構成であれば、同様に適用可能である。
【産業上の利用可能性】
【００３１】
本発明は、アナログ・デジタル混合の信号を受信可能な放送受信機に適用可能である。
【図面の簡単な説明】
【００３２】
【図１】本発明の一実施の形態に係るテレビジョンチューナモジュールの構成図
【図２】従来のアナログ・デジタル両用の放送受信機におけるフロントエンド部のブロック図
【図３】アナログ受信制御用ラインとデジタル受信制御用ラインとを別系統にした従来のテレビジョンチューナモジュールの構成図
【符号の説明】
【００３３】
１…テレビジョンチューナモジュール
２…テレビジョン信号受信用回路
３…デジタル復調ＩＣ
４…バックエンドＩＣ
５…バススイッチ
６…デジタル／アナログ受信制御用バス
７…デジタル受信制御用バス
８…デジタル受信／復調制御用バス
９…電源部
１０…アナログ受信制御用バス
１１…ＮチャンネルエンハンスメントＭＯＳＦＥＴ
２０…コントロールブロック
２１…マイコン
２２…ＡＶスイッチＩＣ
２３…ＥＥＰＲＯＭ
２４…ＬＣＤパネル
２５…ＡＶ用増幅器
２６…電源（セット側）
【図１】
2008271290.tif 000003
【図２】
2008271290.tif 000004
【図３】
2008271290.tif 000005